【手続補正書】
【提出日】平成16年2月5日(2004.2.5)
【手続補正１】
【補正対象書類名】明細書
【補正対象項目名】特許請求の範囲
【補正方法】変更
【補正の内容】
【特許請求の範囲】
【請求項１】
家電製品用のキャビネットであって、二重シートの熱形成により形成される壁部材を具備し、該壁部材は複数のパネルを有し、該パネルは前記二重シートが接触して継ぎ目を形成する一つ以上の接続縁部により互いに接続され、前記家電製品では前記壁部材は前記複数のパネルが前記家電製品の複数の壁を形成するように一つ以上の前記継ぎ目に沿って折畳まれた状態にあり、前記壁部材が最初に熱形成される時には前記壁部材はグループとして異なった形で形成され、一つ以上の前記折畳まれた継ぎ目は該折畳まれた継ぎ目により接続されるパネルに対応する前記家電製品の壁の間のコーナーには一致しないキャビネット。
【請求項２】
前記折畳まれた継ぎ目はそれぞれ一つのパネルの縁部と別のパネルの縁部との間にあり、前記一つのパネルの縁部は少なくとも前記一つのパネルの前記コーナーの一方の壁に寄与する面の縁部を形成し、前記別のパネルの縁部は少なくとも前記コーナーの他方の壁に寄与する前記別のパネルの面に対して或る角度をなす面の縁部を形成し、前記壁部材は前記角度だけ前記継ぎ目で折畳まれ、前記別のパネルの或る角度をなす前記面は前記コーナーの前記一方の壁に寄与し、前記コーナーから前記折畳まれた継ぎ目を分離する請求項１に記載のキャビネット。
【請求項３】
前記折畳まれた継ぎ目はそれぞれ一つのパネルの縁部と別のパネルの縁部との間にあり、前記壁部材が折畳まれない状態で、前記一つのパネルは前記継ぎ目に隣接した外装壁面を有し、前記別のパネルは第１外装壁面及び第２外装壁面を有し、前記第１外装壁面は前記継ぎ目に隣接し且つ前記一つのパネルの前記外装壁面に対して或る角度をなし、前記壁部材が折畳まれた状態で、前記一つのパネルの前記外装壁面及び前記別のパネルの前記外装壁面は前記キャビネットの一方の壁に寄与し、前記別のパネルの前記第１外装壁面は前記コーナーから前記折畳まれた継ぎ目を分離する請求項１に記載のキャビネット。
【請求項４】
二重シートの熱形成により形成され、前記二重シートが接触する一つ以上の継ぎ目を具備し、複数の壁を形成するために前記継ぎ目の一つ以上で折畳まれるようになっている壁部材であって、少なくとも一つの前記継ぎ目はキャビネットの組立において所定の角度折畳まれるものであり、前記二重シートの少なくとも一方のシートは少なくとも第１及び第２の面と、前記継ぎ目の所或いはほぼ前記継ぎ目の所に前記第１及び第２の面の間に包含されるコーナーとを有し、前記包含されるコーナーの角度は、前記継ぎ目が前記所定の角度折畳まれると前記第１及び第２の面の傾斜が前記キャビネットの外側で前記継ぎ目を横断して実質的に連続するように前記所定の角度の余角であることを特徴とする壁部材。
【請求項５】
前記第１及び第２の面を有する前記シートは第３の面を有し、前記第２の面は前記継ぎ目にほぼ平行であるが前記継ぎ目とは離間した突出するコーナーで前記第３の面につながり、前記突出するコーナーは、前記第３の面が前記第１の面とほぼ同一平面にあるように前記所定の角度を有する請求項４に記載の壁部材。
【請求項６】
平行且つ離間し前記壁部材を三つの並んだパネルに分割する一対の継ぎ目を具備し、前記壁部材の一つのシートは前記第１乃至第３の面と第４及び第５の面とを有し、前記第１、第３及び第５の面の各々はそれぞれのパネルと関連したほぼ平坦な主要面を構成し、前記第１、第３及び第５の面はほぼ平行であり、前記一対の継ぎ目は前記第１の面の両縁部に設けられ、前記第２の面は前記第３の面の継ぎ目側の縁部から前記第１の面のそれぞれの継ぎ目の縁部まで延び、前記第４の面は前記第５の面の継ぎ目側の縁部から前記第１の面のそれぞれの継ぎ目の縁部まで延び、前記第２及び第４の面は、前記継ぎ目が９０度折畳まれると折畳まれた継ぎ目が前記第１、第２及び第４の面によって形成される面に完全に配置された状態で前記第２及び第４の面が前記第１の面と整列し且つ前記第３及び第５の面が前記第２及び第４の面の縁部から垂直に延びるように前記第１、第３及び第５の面に対して約９０度をなす請求項５に記載の壁部材。
【手続補正２】
【補正対象書類名】明細書
【補正対象項目名】０００４
【補正方法】変更
【補正の内容】
【０００４】
（発明の開示）
従って本発明の特徴はキャビネットおよび／またはキャビネットの部品および／またはこれらを形成する方法を提供することにあり、これらは上述の欠点を克服し、公衆に有用な選択肢を与えることになる。


【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】０００８
【補正方法】変更
【補正の内容】
【０００８】
本発明の一つの特徴によれば、本発明は家電製品用のキャビネットからなり、この家電製品用のキャビネットは、二重シートの熱形成により形成される壁部材を具備し、該壁部材は複数のパネルを有し、該パネルは前記二重シートが接触して継ぎ目を形成する一つ以上の接続縁部により互いに接続され、前記家電製品では前記壁部材は前記複数のパネルが前記家電製品の複数の壁を形成するように一つ以上の前記継ぎ目に沿って折畳まれた状態にあり、前記壁部材が最初に熱形成される時には前記壁部材はグループとして異なった形で形成され、一つ以上の前記折畳まれた継ぎ目は該折畳まれた継ぎ目により接続されるパネルに対応する前記家電製品の壁の間のコーナーには一致しない。


【手続補正１０】
【補正対象書類名】明細書
【補正対象項目名】００１０
【補正方法】変更
【補正の内容】
【００１０】
本発明の更なる別の特徴によれば、本発明は壁部材からなり、該壁部材は二重シートの熱形成により形成され、前記二重シートが接触する一つ以上の継ぎ目を具備し、複数の壁を形成するために前記継ぎ目の一つ以上で折畳まれるようになっている壁部材であって、少なくとも一つの前記継ぎ目はキャビネットの組立において所定の角度折畳まれるものであり、前記二重シートの少なくとも一方のシートは少なくとも第１及び第２の面と、前記継ぎ目の所或いはほぼ前記継ぎ目の所に前記第１及び第２の面の間に包含されるコーナーとを有し、前記包含されるコーナーの角度は、前記継ぎ目が前記所定の角度折畳まれると前記第１及び第２の面の傾斜が前記キャビネットの外側で前記継ぎ目を横断して実質的に連続するように前記所定の角度の余角であることを特徴とする。


【手続補正１１】
【補正対象書類名】明細書
【補正対象項目名】００１３
【補正方法】変更
【補正の内容】
【００１３】
本発明に関する技術の当業者にとって、本発明の精神から逸脱することなく特許請求の範囲で構成の変更、異なった実施例、本発明の応用ができることは明らかである。後述の説明は例示のためであり、本発明を限定するものではない。